(57)【要約】【課題】  ＩＰ電話網を利用し通信端末機を利用する場合において、使い勝手がよく、通信料金削減効率を上げることを目的とする。【解決手段】  通信端末機の通信結果や発信時のダイヤル番号を識別しダイヤル発信方法、回線種別や通信方式を変更し通信を行う通信接続装置及び通信接続方法。【選択図】        図１
2005197847.tif 000002
【特許請求の範囲】
【請求項１】
少なくとも１台の通信端末機をＩＰ電話回線網或いは公衆回線網に対して切り替え可能に接続する通信接続装置であって、前記少なくとも１台の通信端末機からのダイヤル情報がＩＰ電話回線網の電話番号か或いは公衆回線網の電話番号かを認定する手段と、該認定手段の認定に基づいてＩＰ電話回線網或いは公衆回線網に対して該１台の通信端末機を切り替えて接続する手段と、該１台の通信端末機の接続された回線網を介した通信が成功したか否かを判定する手段とを備えることを特徴とする通信接続装置。
【請求項２】
前記判定手段が前記１台の通信端末機の接続された回線網を介した通信が失敗したと判定した際に、他の回線網を介した通信に接続を切り替えるようにしたことを特徴とする請求項１記載の通信接続装置。
【請求項３】
送信相手のＩＰ電話番号と公衆回線番号との関連を持たせたテーブルを備え、該関連テーブルに基づいてＩＰ電話番号と公衆回線番号とを相互に変換する手段を備えたことを特徴とする請求項１又は請求項２記載の通信接続装置。
【請求項４】
通信端末機とＩＰ電話回線網を接続し、前記少なくとも１台の通信端末機からダイヤルされた公衆回線番号をＩＰ電話番号に変換し、ＩＰ電話回線網を介して変換したＩＰ電話番号をダイヤル発信することを特徴とする上記請求項の内の１の請求項に記載の通信接続装置。
【請求項５】
通信端末機とＩＰ電話回線網を接続可能に接続されている接続装置であって、通信端末機からの通信を双方向手順で行う通信部と、通信端末機からのデータを蓄積する記憶部と、相手先にデータを送信する送信部を備えることを特徴とする上記請求項の内の１の請求項に記載の通信接続装置。
【請求項６】
少なくとも１台の通信端末機がファクシミリ装置であることを特徴とする上記請求項の内の１の請求項に記載の通信接続装置。
【請求項７】
少なくとも１台の通信端末機をＩＰ電話回線網或いは公衆回線網に対して切り替え可能に接続する通信接続方法であって、少なくとも以下のステップを有することを特徴とする通信接続方法。
（Ａ）少なくとも１台の通信端末機からダイヤルされた電話番号がＩＰ電話回線網の電話番号であるか或いは公衆回線網の電話番号であるかを認識するステップ
（Ｂ）少なくとも１台の通信端末機とＩＰ電話回線網とを接続しＩＰ電話回線網へＩＰ電話番号をダイヤル発信するステップ
（Ｃ）少なくとも１台の通信端末機と公衆回線網とを接続し公衆回線網へＩＰ電話番号をダイヤル発信するステップ
【請求項８】
少なくとも１台の通信端末機をＩＰ電話回線網或いは公衆回線網に対して切り替え可能に接続する通信接続方法であって、さらに以下のステップを有することを特徴とする請求項７記載の通信接続方法。
（Ｄ）少なくとも１台の通信端末機と公衆回線網を接続し、通信端末機からのダイヤル番号を認識し該公衆回線番号に変換し、公衆回線番号をダイヤル発信し、通信端末機と公衆回線網を接続するステップ
【請求項９】
少なくとも１台の通信端末機をＩＰ電話回線網或いは公衆回線網に対して切り替え可能に接続する通信接続方法であって、以下のステップを有することを特徴とする通信接続方法。
（ａ）通信端末機からダイヤルされた番号がＩＰ電話回線網の番号か、或いは公衆回線網の番号かを判定するステップ
（ｂ）ダイヤルされた番号がＩＰ電話回線網の番号であると判定された際には、ＩＰ電話回線網へダイヤルされた番号送出するステップ
（ｃ）相手先通信端末が着信を認識し、通信が構築されるステップ
（ｄ）交信状況を監視して現在の交信が送信成功なのか送信失敗なのかを判定するステップ
（ｅ）ＩＰ電話回線網と通信端末機とを切り離し、公衆回線網と通信端末機を接続しその後の再送信を待つステップ
（ｆ）通信端末機により再送信を開始するステップ
（ｇ）前記ステップ（ｆ）の方法でも送信不成功と判定された場合に、一時的に両方の回線を通信端末機から切りはなすステップ
（ｈ）通信端末機をＩＰ電話回線網から公衆回線網側に切り替えるステップ
【請求項１０】
少なくとも１台の通信端末機がファクシミリ装置であることを特徴とする請求項７乃至請求項９の内の１の請求項記載の通信接続方法。
【発明の詳細な説明】
【技術分野】
【０００１】  本発明は、現在普及しているＩＰ電話回線網を利用しファクシミリ通信を経済的かつ効率的に行うことができる通信接続装置及び通信接続方法に関するものである。
【背景技術】
【０００２】  近年、ＩＰ電話が急速に普及しておりＩＰ電話が一般的な通信網として確立されている。このことからすれば、電話による会話だけでなくファクシミリ送受信での利用も考えられるとするのが一般的かも知れない。とくに相手先もＩＰ電話回線網に接続されたファクシミリ装置であればＩＰ電話回線網から相手先ＩＰ電話番号にファクシミリを送信すればＩＰ電話回線網内では、ファクシミリ交信となり通信費用は無料か無料に近い料金となり経費節減は計り知れないはずである。しかしながら、ＩＰ電話回線網でファクシミリを送信した場合、大半は正常に送信することができるが、場合によって正常に送信ができなく送信エラーとなる場合が発生することは一般的に知られている。これでは、ＩＰ電話回線網を利用したファクシミリ通信は利用できない。【０００３】  なぜならば、エラーとなった場合ファクシミリが相手先に届かないばかりでなく、送信を完了させるためには、使用者はファクシミリを送る操作を何度も行わなければならず、時間がとられ非常に効率が悪い。また実際に送信をしてみないと送信ができるのかそれとも通信エラーとなるのかの判別ができないので無駄に時間をとられてしまうのが現状であった。
【発明の開示】
【発明が解決しようとする課題】
【０００４】  ＩＰ電話回線網を利用しファクシミリ送信を行う場合、まずＩＰ電話回線網からの発信を行い、成功すれば通信費は削減でき、加えて無駄な時間を費やすことが無い。したがってファクシミリを送信する場合、最初はＩＰ電話回線網での発信をし、もしＩＰ電話回線網で送信できない場合或いはエラーが発生する場合には次のステップで公衆回線網から発信するというようにして交信性を高める順にファクシミリ送信を行えばファクシミリを確実に送信できることになる。つまり送信者が回線の接続を変えたり、ダイヤル番号を変更したりしてファクシミリを送りなおせば通信の確実性は向上する。しかし、この手順を送信者が順次回線の接続を変えたり、電話番号をダイヤルしなおしたりするのでは、わずらわしいばかりでなく誤接続により動作ができなくなったり、それにより故障や発信不良となり、結果、実用的ではない。【０００５】  しかし、初回にＩＰ電話回線網でファクシミリが正常に送信されれば公衆回線網や専用回線網などの有線通信回線網などに切り替えて再発信しなおす必要は無くなるので通信費無料が実現できるのは言うまでも無い。【０００６】  つまりＩＰ電話回線網を利用しファクシミリを送信したときに、正常に送信が終了したかどうかはファクシミリ通信中のデータを解析すれば容易に判別可能であるし、ファクシミリ装置本体の機能には相手先に正常に送信できなかった場合などに再送信を行うなどの機能が備わっているので、ファクシミリの再送信時に、何らかの手段により交信性の高い公衆回線網からの発信に切り替えてやれば確実な送信を行うことができる。【０００７】  またＩＰ電話回線網を利用しファクシミリを送信する場合、ファクシミリの通信プロトコルにしたがって通信される。この通信プロトコルは規格で定められており一般に周知されているものであるが、この通信プロトコルは相手先に送る場合でもデータ送信、次に相手先からのデータ受信と、送受信を複数回行ったうえファクシミリデータが正常に送信される。送信したときの相手からの受信データは応答データであって、送るべきファクシミリの画像データではない。つまり双方向の手順を片方向すなわち送信側から相手先へ必要データだけ一方向で送信することができれば、相手先からの応答に関わらず、相手からこちらへの応答データにエラーが発生しても通信は完了できるので成功率は向上する。
【課題を解決するための手段】
【０００８】  本発明の通信接続装置は、少なくとも１台の通信端末機をＩＰ電話回線網或いは公衆回線網に対して切り替え可能に接続する通信接続装置であって、前記少なくとも１台の通信端末機からのダイヤル情報がＩＰ電話回線網の電話番号か或いは公衆回線網の電話番号かを認定する手段と、該認定手段の認定に基づいてＩＰ電話回線網或いは公衆回線網に対して該１台の通信端末機を切り替えて接続する手段と、該１台の通信端末機の接続された回線網を介した通信が成功したか否かを判定する手段とを備えることを特徴とする。【０００９】  さらに本発明の通信接続装置は、前記判定手段が前記１台の通信端末機の接続された回線網を介した通信が失敗したと判定した際に、他の回線網を介した通信に接続を切り替えるようにしたことを特徴とする。【００１０】  さらに本発明の通信接続装置は、送信相手のＩＰ電話番号と公衆回線番号との関連を持たせたテーブルを備え、該関連テーブルに基づいてＩＰ電話番号と公衆回線番号とを相互に変換する手段を備えたことを特徴とする。【００１１】  さらに本発明の通信接続装置は、通信端末機とＩＰ電話回線網を接続し、前記少なくとも１台の通信端末機からダイヤルされた公衆回線番号をＩＰ電話番号に変換し、ＩＰ電話回線網を介して変換したＩＰ電話番号をダイヤル発信することを特徴とする。【００１２】  さらに本発明の通信接続装置は、通信端末機とＩＰ電話回線網を接続可能に接続されている接続装置であって、通信端末機からの通信を双方向手順で行う通信部と、通信端末機からのデータを蓄積する記憶部と、相手先にデータを送信する送信部を備えることを特徴とする。【００１３】  さらに本発明の通信接続装置は、少なくとも１台の通信端末機がファクシミリ装置であることを特徴とする。【００１４】  本発明の通信接続方法は、少なくとも１台の通信端末機をＩＰ電話回線網或いは公衆回線網に対して切り替え可能に接続する通信接続方法であって、少なくとも以下のステップを有することを特徴とする。
（Ａ）少なくとも１台の通信端末機からダイヤルされた電話番号がＩＰ電話回線網の電話番号であるか或いは公衆回線網の電話番号であるかを認識するステップ
（Ｂ）少なくとも１台の通信端末機とＩＰ電話回線網とを接続しＩＰ電話回線網へＩＰ電話番号をダイヤル発信するステップ
（Ｃ）少なくとも１台の通信端末機と公衆回線網とを接続し公衆回線網へＩＰ電話番号をダイヤル発信するステップ【００１５】  本発明の通信接続方法は、さらに以下のステップを有することを特徴とする。
（Ｄ）少なくとも１台の通信端末機と公衆回線網を接続し、通信端末機からのダイヤル番号を認識し該公衆回線番号に変換し、公衆回線番号をダイヤル発信し、通信端末機と公衆回線網を接続するステップ【００１６】  さらに本発明の通信接続方法は、少なくとも１台の通信端末機をＩＰ電話回線網或いは公衆回線網に対して切り替え可能に接続する通信接続方法であって、以下のステップを有することを特徴とする。
（ａ）通信端末機からダイヤルされた番号がＩＰ電話回線網の番号か、或いは公衆回線網の番号かを判定するステップ
（ｂ）ダイヤルされた番号がＩＰ電話回線網の番号であると判定された際には、ＩＰ電話回線網へダイヤルされた番号送出するステップ
（ｃ）相手先通信端末が着信を認識し、通信が構築されるステップ
（ｄ）交信状況を監視して現在の交信が送信成功なのか送信失敗なのかを判定するステップ
（ｅ）ＩＰ電話回線網と通信端末機とを切り離し、公衆回線網と通信端末機を接続しその後の再送信を待つステップ
（ｆ）通信端末機により再送信を開始するステップ
（ｇ）前記ステップ（ｆ）の方法でも送信不成功と判定された場合に、一時的に両方の回線を通信端末機から切りはなすステップ
（ｈ）通信端末機をＩＰ電話回線網から公衆回線網側に切り替えるステップ【００１７】  さらに本発明の通信接続方法は、少なくとも１台の通信端末機がファクシミリ装置であることを特徴とする。
【発明の効果】
【００１８】  本発明は最初にＩＰ電話回線網に繋がったファクシミリ装置からＩＰ電話回線網に繋がったファクシミリ装置へのファクシミリ通信を行うので、正常に通信ができれば当然ＩＰ電話回線通信料金となり経費の削減ができる。さらにＩＰ電話回線網での通信ができなかった場合でも公衆回線網からＩＰ電話回線網への発信になるので通信の成功率も向上する。公衆回線や専用回線などの回線に切り替えて状況に応じて通信を行えば通信の確実性を向上することができる。【００１９】  その上ファクシミリデータの送信方法をファクシミリ通信のプロトコル手順に従わず、単方向手順つまり相手先に一方的に必要データのみを送ることでファクシミリ送信の成功率は格段に向上する。【００２０】  またファクシミリからのダイヤル発信は公衆回線番号に設定されている。相手先がもしＩＰ電回線網にもファクシミリが接続されている場合であれば当然ＩＰ電話回線番号が存在する。すなわち公衆回線番号から発信するよりＩＰ電話番号でのＩＰ電話回線網の発信を行えば、通信費を削減できることは言うまでも無い。【００２１】  つまり発信回線や発信方法、通信手順を順次変えて、最初のステップは無料通信の方法、次に無料では無いがより確実性が高いものへと順次方法を変更していけば効率が良く通信の確実性や通信費削減を両立させることができる。
【発明を実施するための最良の形態】
【実施例】
【００２２】  以下、本発明の好ましい実施の形態を図にもとづいて詳細に説明する。図１は本発明の実施形態を示すブロック図である。【００２３】  図１はＩＰ電話回線網１０と公衆回線網１１とが接続されており、内部には通信端末装置９からのダイヤル番号を認識するダイヤル認識部２、ダイヤル認識部２からのダイヤル番号を記憶するダイヤル記憶部３、公衆回線網１１やＩＰ電話回線網１０に向けてダイヤル番号を送出するダイヤル送出部５、通信が正常にできなくエラーとなったと判断する通信判定部８、公衆回線網１１とＩＰ電話回線網１０を切り替える切替部７、通信端末機と回線側を接続したり、切り離したりするスイッチ７ａ、ＩＰ電話番号と公衆回線番号との関連性を記憶した記憶部４は発信の相手先のＩＰ電話番号と同じ相手先の公衆回線網の電話番号が関連性をもって記憶されている。さらに前記各部を制御する制御部６などで構成されている。【００２４】  回線網の接続状態はＩＰ電話回線網が切替部７、７ａを通し通信端末機と接続されるが、説明の都合上、通信端末機をファクシミリ装置とし以下詳細に説明する。【００２５】  使用者がファクシミリを相手先に送信しようとすると、ファクシミリ装置のダイヤルボタン部を操作し相手先の電話番号をダイヤルする。この操作はファクシミリを相手方に送信する場合の一般的な操作方法で相手先ダイヤル番号を押した後、スタートボタンや送信ボタンなどを押すことでファクシミリは送信の動作をはじめる。最初に送信するダイヤル番号はＩＰ電話回線網上の番号であるので、ＩＰ電話番号であり具体的には０５０で始まる十数桁からなる番号である。【００２６】  以下、各ステップを順追って説明する。
まず、ステップ（ａ）では、ダイヤル認識部２によって、ダイヤルされた番号がＩＰ電話回線網の番号か、或いは公衆回線網の番号かを判定する。以下は、最初にダイヤルされた番号はＩＰ電話回線網の番号として説明する。【００２７】  次に、ステップ（ｂ）では、ダイヤルされた番号はＩＰ電話回線網の番号であるで、切替部７によってファクシミリ装置９とＩＰ電話回線網１０とを接続する。それによって、ダイヤルされた番号ＩＰ電話回線網１０へ送出される。【００２８】  その後は、ステップ（ｃ）として、ＩＰ電話プロバイダの動作になるが、送出されたダイヤルはＩＰ電話網の交換局が受け取り、ＩＰ電話の手順にしたがって相手先ファクシミリ端末を呼び出す。呼び出しは１６Ｈｚのベル信号などでＩＰ電話回線網１０を通し相手先へ送出する。ベル信号を検知した相手先ファクシミリ端末は着信があったと認識し応答し受信をはじめる。この動作はＩＰ電話回線網１０内でのファクシミリ通信が構築され通話料金は無料に近い料金となり、経費削減効果は絶大なものとなる。【００２９】  次に、ステップ（ｄ）であるが、ステップ（ｃ）でのＩＰ電話回線網１０でのファクシミリ交信は回線の利用状況、利用環境などによって回線網の状況が悪く通信が成立しない場合などが発生する。この状況は、通信判定部８はファクシミリの交信状況を常時監視しているため現在のファクシミリ交信が送信成功なのか送信失敗なのかを判定することができる。判定方法はファクシミリ装置が相手先ファクシミリ装置と行うファクシミリ通信プロトコルを監視すれば容易に判定することができる。通信不成立を確認した場合は通信判定部８から制御部６に通信エラーの信号を伝達する。【００３０】  次に、ステップ（ｅ）では、制御部６がＩＰ電話回線網１０でのファクシミリ送信を断念し、切替部７を動作させてＩＰ電話回線網１０とファクシミリ装置とを切り離し、公衆回線網１１とファクシミリ装置９を接続しその後のファクシミリ装置９からの再送信を待つ状態とする。【００３２】  すると、次のステップ（ｆ）では、ファクシミリ装置９本体が先の送信エラーを確認しているので自装置の備えている機能により再送信を開始する。この場合、ファクシミリ装置９と公衆回線１１とが接続されているため一般公衆回線へ０５０…の番号が送出されることとなる。つまりファクシミリ発信が公衆回線網１１経由ＩＰ電話回線網１０への発信になり前述のＩＰ電話回線網１０内でなく、公衆回線網１１経由のＩＰ電話回線網１０での接続が構築され交信性は高くなり通信の確実性が向上する。この時点でも通信判定部８はファクシミリの送信状況を把握しており、もし通信が正常に終了した場合であればここで通信接続装置１の動作は終了する。【００３３】  さらにステップ（ｇ）では、前記ステップ（ｆ）の方法でも正常に送信できなく通信判定部８が送信不成功と判定した場合も、前述と同様に制御部６で通信不成立と認識できるのでスイッチ７ａを動作させ一時的に両方の回線をファクシミリ装置９から切りはなす。【００３４】  次にステップ（ｈ）で、公衆回線網１１側に切替部７を切り替え動作させる。その後、ファクシミリ装置９が再び動作し再送信を開始しダイヤル番号が送出される。この送出さ���た番号は当然０５０で始まるＩＰ電話番号であり、ダイヤル認識部２より番号を認識しダイヤル記憶部３に相手先ダイヤル番号を一時記憶する。【００３５】  一時記憶された電話番号は０５０で始まる電話番号であるので記憶部５内部の図２の電話番号テーブルにある０５０番号と同じ相手先の公衆回線網の電話番号を取り出し、その公衆回線網の電話番号でダイヤル発信をする。つまり、０５０で始まるＩＰ電話番号を公衆回線番号に入れ替えて公衆回線に向けてダイヤル送出を行うために、スイッチ７ａを切り替え動作させ通信端末９と公衆回線網とを接続する。具体的には図２のＡ社の場合は、ＩＰ電話番号の０５０３３４７６３８９に該当する右欄の公衆回線番号の０５２２０１５０５０に変更してダイヤル送出を行うものである。この場合は、当然、公衆回線間のファクシミリ交信が成立するために交信性は非常に高いので確実にファクシミリ交信の成功率は格段に上がる。【００３６】  以上のように、ステップ（ａ）の経費がもっともかからないＩＰ電話網内のファクシミリ交信、ステップ（ｆ）の公衆回線経由のファクシミリ交信、ステップ（ｈ）の交信性が確実な公衆回線間のファクシミリ交信の順に実行すれば通信経費を低く抑えることができると共に交信性の向上が両立できる事となる。ここでの順序は一実施例の説明であって、たとえば各ステップの順序は途中のステップを飛ばしたり、前のステップと後のステップとを入れ替えたりパターンを入れ替えても同様な効果が得られる。【００３７】  図２は０５０で始まるＩＰ電話番号と公衆回線番号との関連性を示したテーブルである。つまり、ＩＰ電話番号をもつ相手先は、ＩＰ電話回線番号と公衆回線番号の２つを持っているのが普通である。そこで、図２に示すような、比較テーブルを持つことにより、ＩＰ電話回線で通信エラーの場合、最終的にこのテーブルをもとにして公衆回線番号を割り出し公衆回線に切り替えて発信しファクシミリ送信を確実に相手方に送信できることになる。ここではＩＰ電話番号を具体例で０５０で始まる番号と記述してあるがこの番号に限定するものではない。【００３８】  さらに、本明細書の説明では公衆回線網としたが、企業内の専用線などに切り替えても良いし、ＣＡＴＶなどの音声やデータ通信が確実である回線に切り替えて通信路を確保しても良い。もちろん通信端末機９はファクシミリ装置に限定するものではなくモデム通信や、他あらゆるデータ通信などの通信機器でも同様な効果が期待できることは言うまでもない。【００３９】  また、ＩＰ電話回線網１０が障害で通信ができない場合や、回線の断線などが発生した場合も公衆回線１１を選んで発信し通信を確立できるので緊急時の装置としても有効に活用できる。実施例での説明では通信端末機９からのダイヤルがそのまま回線に対して送出されるがステップ（ａ）（ｆ）（ｈ）ともに一時的にスイッチ７ａを切り離し、通信端末機９から発信したダイヤルをダイヤル記憶部２に一時記憶した後、ダイヤル送出部４を動作させて回線に対してダイヤル送出するように、その後スイッチ７ａを再び接続しても良い。【００４０】  また（ｆ）ステップの同等の方法で回線網に向けて００００というダイヤルを０５０…番号の前に本通信接続装置���自動付加し０００００５０…という方法もある。これも（ｆ）ステップとまったく同等の効果を持つ。この操作が必要なのは公衆回線網１１とＩＰ電話回線網１０が複合された回線を接続する場合はこの００００をダイヤル番号の先頭に入れることで公衆回線網１１からの発信が選択される。公衆回線から発信する場合ダイヤル番号は必ずしも００００でなくほかの番号で機能するものもあるので自動付加する番号は回線により異なり、番号を限定するものではない。また説明ではファクシミリ装置自身が持つ再送機能を利用したものとなっているが通信接続装置自体に再送機能をもたせて前記各ステップを実行しても良い。【００４１】  本発明においては、ファクシミリを従来通り発信する場合当然ファクシミリ装置からは０３…というように公衆回線番号がダイヤルされるが、この電話番号を同じ相手先のＩＰ電話網に接続されたＩＰ電話番号に入れ替えＩＰ電話網を利用し発信し通信を行う。たとえば図２にあるＢ社に対して０３３５４６０９４１と公衆回線番号がダイヤルされてきた場合、同社にＩＰ電話番号をつまり０５０３３４７５６４０としダイヤル発信を行う。つまり今まで通りにファクシミリを発信すれば自動的ＩＰ電話回線が選択されＩＰ電話番号によるダイヤル送出が行われ無料通信が構築される。使用者は従来とまったく同じようにダイヤルすれば自動的に変換されるので使い勝手が良い。【００４２】  本発明は、図３のファクシミリ装置９からのデータをファクシミリの通信プロトコルにしたがってファクシミリ装置９とのデータのやり取りを行う通信部１２、ファクシミリ装置９からのデータを蓄積する記憶部１３、記憶部１３にあるデータを単方向つまり一方的に相手先に送出する送信部１５、各部を制御する制御部１４から構成される。【００４３】  ファクシミリ装置９からの送信データはＩＰ電話回線網１０に直接送出されることなく、ファクシミリ装置９は通信部１２とファクシミリ通信プロトコルにしたがってやりとりを行う、つまり双方向手順で、ファクシミリデータを記憶部１３へ取りこむ。次に制御部１４は送信部１５を制御し記憶部に蓄積されたデータを単方向の手順で回線網１０に対して送出する。【００４４】  通常ファクシミリの送信はデータを送信、相手先からの応答の送受信の通信パターンが繰り返されファクシミリの送信が終了する。この送信、受信の繰り返しにより通信エラーの発生する確率が上がるので相手からの受信をすることなく、一方的に相手先にデータを送ることでファクシミリ送信の成功率は格段と向上する。このような手順は一連のデータを一方的に送れば良くフォーマットやプロトコルは独自で決めることができるので容易に実現可能である。またファクシミリ装置からのデータの記憶は記憶した後でなく記憶しながら順次相手先に送出しても良く、この場合時間が短縮されるというメリットがある。
【図面の簡単な説明】
【００４５】
【図１】  図１は、本願発明の実施例のブロック図である。
【図２】  図２は、電話番号テーブルの説明図である。
【図３】  図３は、本願発明の他の実施例のブロック図である。
【符号の説明】
【００４６】１・・・通信接続装置
２・・・ダイヤル認識部
３・・・ダイヤル記憶部
４・・・記憶部（メモリ）
５・・・ダイヤル送出部
６・・・制御部
７・・・切替部
８・・・通信判定部
９・・・通信端末機（ファクシミリ装置）
１０・・・ＩＰ電話回線網
１１・・・公衆回線網
１２・・・通信部
１３・・・記憶部
１４・・・制御部
１５・・・送信部
【図１】
2005197847.tif 000003
【図２】
2005197847.tif 000004
【図３】
2005197847.tif 000005